(57)【要約】【課題】  会員増加と、ビジネスチャンスの機会を得るようにする。【解決手段】  ネットワーク６００を介してホームページ相互書き込み装置４００にユーザＡ端末５０１、ユーザＢ端末５０２、ユーザＣ端末５０３、ユーザＤ端末５０４が接続されるようにし、ユーザＡ端末５０１、ユーザＢ端末５０２、ユーザＣ端末５０３、ユーザＤ端末５０４を使用するユーザのホームページのコンテンツである書き込みページに書き込まれた内容が閲覧先の書き込みページと閲覧元の書き込みページに反映されるようにする。【選択図】  図１
2005228275.tif 000002
【特許請求の範囲】
【請求項１】
ホームページのコンテンツである書き込みページを管理する機能を有したホームページ相互書き込み装置と、
ネットワークを介して前記ホームページ相互書き込み装置に接続され、前記ホームページの閲覧と前記書き込みページに対する書き込みとが可能なユーザ端末とを備え、
前記書き込みページに書き込まれた内容が閲覧先の書き込みページと閲覧元の書き込みページに反映される
ことを特徴とするホームページ相互書き込みシステム。
【請求項２】
前記ホームページ相互書き込み装置は、
会員に関する基本情報が格納される基本情報データベースと、
前記ホームページを管理する機能を有したホームページ管理サーバとを備える
ことを特徴とする請求項１に記載のホームページ相互書き込みシステム。
【請求項３】
前記基本情報データベースには、
前記ホームページの作成サービスの会員となってユーザ毎に作成されたホームページと、
前記会員の属性情報と、
前記書き込みページに対する書き込み情報とが格納される
ことを特徴とする請求項２に記載のホームページ相互書き込みシステム。
【請求項４】
前記書き込み情報は、少なくとも文字とホームページのＵＲＬとを有することを特徴とする請求項３に記載のホームページ相互書き込みシステム。
【請求項５】
前記ホームページ管理サーバは、
会員となったユーザの属性情報を前記基本情報データベースに登録する機能を有する会員登録部と、
前記ユーザ端末からの閲覧要求に応じて、要求のあったホームページを提供する機能を有するホームページ提供部と、
前記閲覧要求のあったユーザが会員であるか非会員であるかを監視する機能を有するホームページ閲覧監視部と、
書き込みページに対する書き込み要求を受け付けて、前記書き込みページに書き込まれた内容を前記基本情報データベースに登録する機能を有する書き込み受付部と、
前記書き込みページに書き込まれた内容を閲覧先の書き込みページと閲覧元の書き込みページに反映させる機能を有する書き込み反映部とを備える
ことを特徴とする請求項２〜４のいずれかに記載のホームページ相互書き込みシステム。
【請求項６】
前記書き込み反映部は、閲覧先の書き込みページに閲覧元のホームページのＵＲＬを残し、閲覧元の書き込みページに閲覧先のホームページのＵＲＬを残す機能を有していることを特徴とする請求項５に記載のホームページ相互書き込みシステム。
【請求項７】
前記ホームページ相互書き込み装置は、会員に対して個人のホームページの作成サービスを行う機能を有していることを特徴とする請求項１〜６のいずれかに記載のホームページ相互書き込みシステム。
【請求項８】
会員となったユーザの属性情報を基本情報データベースに登録する機能を有する会員登録部と、
ユーザ端末からの閲覧要求に応じて、要求のあったホームページを提供する機能を有するホームページ提供部と、
前記閲覧要求のあったユーザが会員であるか非会員であるかを監視する機能を有するホームページ閲覧監視部と、
書き込みページに対する書き込み要求を受け付けて、前記書き込みページに書き込まれた内容を前記基本情報データベースに登録する機能を有する書き込み受付部と、
前記書き込みページに書き込まれた内容を閲覧先の書き込みページと閲覧元の書き込みページに反映させる機能を有する書き込み反映部とを備える
ことを特徴とするホームページ管理サーバ。
【請求項９】
ホームページのコンテンツである書き込みページを管理する工程と、
ネットワークを介して前記ホームページの閲覧と前記書き込みページに対する書き込みとが行われる工程とを有し、
前記書き込みページに書き込まれた内容が閲覧先の書き込みページと閲覧元の書き込みページに反映される
ことを特徴とするホームページ相互書き込み方法。
【請求項１０】
会員に関する基本情報が格納される工程と、
ホームページを管理する工程とを有する
ことを特徴とする請求項９に記載のホームページ相互書き込み方法。
【請求項１１】
前記基本情報として、
前記ホームページの作成サービスの会員となってユーザ毎に作成されたホームページと、前記会員の属性情報と、前記書き込みページに対する書き込み情報とが格納される工程を有する
ことを特徴とする請求項１０に記載のホームページ相互書き込み方法。
【請求項１２】
前記書き込み情報は、少なくとも文字とホームページのＵＲＬとを有することを特徴とする請求項１１に記載のホームページ相互書き込み方法。
【請求項１３】
会員となったユーザの属性情報を基本情報データベースに登録する工程と、
ユーザ端末からの閲覧要求に応じて、要求のあったホームページを提供する工程と、
前記閲覧要求のあったユーザが会員であるか非会員であるかを監視する工程と、
書き込みページに対する書き込み要求を受け付けて、前記書き込みページに書き込まれた内容を基本情報データベースに登録する工程と、
前記書き込みページに書き込まれた内容を閲覧先の書き込みページと閲覧元の書き込みページに反映させる工程とを有する
ことを特徴とする請求項１０〜１２のいずれかに記載のホームページ相互書き込み方法。
【請求項１４】
閲覧先の書き込みページに閲覧元のホームページのＵＲＬを残し、閲覧元の書き込みページに閲覧先のホームページのＵＲＬを残す工程を有していることを特徴とする請求項１３に記載のホームページ相互書き込み方法。
【請求項１５】
会員に対して個人のホームページの作成サービスを行う工程を有していることを特徴とする請求項９〜１４のいずれかに記載のホームページ相互書き込み方法。
【請求項１６】
会員となったユーザの属性情報を基本情報データベースに登録する工程と、
ユーザ端末からの閲覧要求に応じて、要求のあったホームページを提供する工程と、
前記閲覧要求のあったユーザが会員であるか非会員であるかを監視する工程と、
書き込みページに対する書き込み要求を受け付けて、前記書き込みページに書き込まれた書き込み情報を基本情報データベースに登録する工程と、
前記書き込みページに書き込まれた内容を閲覧先の書き込みページと閲覧元の書き込みページに反映させる工程とを有する
ことを特徴とするホームページ管理方法。
【発明の詳細な説明】
【技術分野】
【０００１】
本発明は、相手のホームページのコンテンツである掲示板等の書き込みページに書き込みした内容が自分の掲示板等の書き込みページにも書き込まれるようにしたホームページ相互書き込みシステムに関するものである。
【背景技術】
【０００２】
近年、インターネットやイントラネット等のネットワークの進展により、そのネットワークを介した種々のサービスが提供されている。それらのサービスには、有償のものや無償のものがあるが、ネットワークの特徴を最もうまく利用したサービスと言え、様々な場面で広く利用されている。典型的なサービスとしては、情報提供者がネットワーク上のサーバにホームページと呼ばれるサイトを開設し、そこにアクセスしてきた任意の端末と対話を行うことにより、順に要求を絞り込み、適切な情報を提供するというものである。
【０００３】
ところで、ネットワークを介した種々の情報のやり取りを、任意のサーバや端末間で適切に行うために、これらの情報はＨＴＭＬという形式のデータで送受されている。しかし、このＨＴＭＬデータは、種々のデータと、データを特定するファイルと、制御コード等とが所定のルールに基づいて混在するデータであるため、これを理解して適切なＨＴＭＬデータを作成するのは非常に専門的な作業が強いられる。
【０００４】
すなわち、専門的な知識を有する熟練した作業者が行うようなレベルの仕事であり、通常のユーザがカスタマイズされたホームページのＨＴＭＬデータを作成するのは困難である。換言すれば、ネットワークを介して所望の情報を提供するホームページの作成は、専門的な知識を有する熟練した作業者にのみ可能であり、通常のソフトウェア技術者程度では、非常に難しい。
【０００５】
この場合、特許文献１に示されているように、サポート者が自分の募集に応じた被サポート会員に対して、既に設置されたサーバ上に被サポート会員のホームページを作成できるようにし、さらに作成されたホームページの管理を通じ、被サポート会員に対して技術支援を行うことで、専門的な知識を有しないユーザであってもホームページの作成が容易に行える。
【特許文献１】特開２００２−３４２４５５
【発明の開示】
【発明が解決しようとする課題】
【０００６】
このように、上述した特許文献１に示されたものは、専門的な知識を有しないユーザであってもホームページの作成が容易に行える。また、ホームページには、掲示板等の書き込みページのような様々なコンテンツも容易に設けることができる。
【０００７】
ところで、たとえば掲示板は、自分のホームページへの訪問者とのコミュニケーションを図ることができるいわゆる書き込みページとなっている。その書き込みページには、文字を書き込めるようになっており、自分のホームページへの訪問者からの書き込みに対して返答することにより、見知らぬ者同士の会話が成立する。
【０００８】
ところが、相手の書き込みページに書き込みした内容は、相手の書き込みページにのみ残されるため、時間が経過すると、どのような内容の書き込みをしたかを確認することができないばかりか、だれのホームページの書き込みページに書き込みしたかの確認もできなくなってしまう。この場合、記憶をたどって相手のホームページを検索することになるが、過去にアクセスしたホームページの数が増えると、複数のホームページを徘徊する必要が生じる。そのため、ユーザにとっては、ホームページが作成できたにも関わらず、相手の書き込みページに書き込みした内容を確認するために、過去にアクセスしたホームページを徘徊する必要があり、ホームページに対する興味を損なう場合がある。
【０００９】
一方、ホームページ作成サービス提供者にとっては、会員が増えることでビジネスチャンスが増えることになるが、それにはユーザにとって興味のもてるホームページを提供し続けることが課題であり、その課題を解消できるシステムの構築が望まれている。
【００１０】
解決しようとする問題点は、会員となったユーザが容易に自分のホームページをもてても、相手の書き込みページに書き込みした内容を確認するために、過去にアクセスしたホームページを徘徊する必要があることで、ホームページに対する興味を損なうことになり、一方、ホームページ作成サービス提供者にとっては、ユーザにとって興味のもてるホームページを提供し続ける手段がないため、ビジネスチャンスの機会を失ってしまうという点である。
【課題を解決するための手段】
【００１１】
本発明のホームページ相互書き込みシステムは、ホームページのコンテンツである書き込みページを管理する機能を有したホームページ相互書き込み装置と、ネットワークを介して前記ホームページ相互書き込み装置に接続され、前記ホームページの閲覧と前記書き込みページに対する書き込みとが可能なユーザ端末とを備え、前記書き込みページに書き込まれた内容が閲覧先の書き込みページと閲覧元の書き込みページに反映されることを特徴とする。
また、前記ホームページ相互書き込み装置は、会員に関する基本情報が格納される基本情報データベースと、前記ホームページを管理する機能を有したホームページ管理サーバとを備えるようにすることができる。
また、前記基本情報データベースには、前記ホームページの作成サービスの会員となってユーザ毎に作成されたホームページと、前記会員の属性情報と、前記書き込みページに対する書き込み情報とが格納されるようにすることができる。
また、前記書き込み情報は、少なくとも文字とホームページのＵＲＬとを有するようにすることができる。
また、前記ホームページ管理サーバは、会員となったユーザの属性情報を前記基本情報データベースに登録する機能を有する会員登録部と、前記ユーザ端末からの閲覧要求に応じて、要求のあったホームページを提供する機能を有するホームページ提供部と、前記閲覧要求のあったユーザが会員であるか非会員であるかを監視する機能を有するホームページ閲覧監視部と、書き込みページに対する書き込み要求を受け付けて、前記書き込みページに書き込まれた内容を前記基本情報データベースに登録する機能を有する書き込み受付部と、前記書き込みページに書き込まれた内容を閲覧先の書き込みページと閲覧元の書き込みページに反映させる機能を有する書き込み反映部とを備えるようにすることができる。
また、前記書き込み反映部は、閲覧先の書き込みページに閲覧元のホームページのＵＲＬを残し、閲覧元の書き込みページに閲覧先のホームページのＵＲＬを残す機能を有しているようにすることができる。
また、前記ホームページ相互書き込み装置は、会員に対して個人のホームページの作成サービスを行う機能を有しているようにすることができる。
本願発明のホームページ管理サーバは、会員となったユーザの属性情報を基本情報データベースに登録する機能を有する会員登録部と、ユーザ端末からの閲覧要求に応じて、要求のあったホームページを提供する機能を有するホームページ提供部と、前記閲覧要求のあったユーザが会員であるか非会員であるかを監視する機能を有するホームページ閲覧監視部と、書き込みページに対する書き込み要求を受け付けて、前記書き込みページに書き込まれた内容を前記基本情報データベースに登録する機能を有する書き込み受付部と、前記書き込みページに書き込まれた内容を閲覧先の書き込みページと閲覧元の書き込みページに反映させる機能を有する書き込み反映部とを備えることを特徴とする。
本願発明のホームページ相互書き込み方法は、ホームページのコンテンツである書き込みページを管理する工程と、ネットワークを介して前記ホームページの閲覧と前記書き込みページに対する書き込みとが行われる工程とを有し、前記書き込みページに書き込まれた内容が閲覧先の書き込みページと閲覧元の書き込みページに反映されることを特徴とする。
また、会員に関する基本情報が格納される工程と、ホームページを管理する工程とを有するようにすることができる。
また、前記基本情報として、前記ホームページの作成サービスの会員となってユーザ毎に作成されたホームページと、前記会員の属性情報と、前記書き込みページに対する書き込み情報とが格納される工程を有するようにすることができる。
また、前記書き込み情報は、少なくとも文字とホームページのＵＲＬとを有するようにすることができる。
また、会員となったユーザの属性情報を基本情報データベースに登録する工程と、ユーザ端末からの閲覧要求に応じて、要求のあったホームページを提供する工程と、前記閲覧要求のあったユーザが会員であるか非会員であるかを監視する工程と、書き込みページに対する書き込み要求を受け付けて、前記書き込みページに書き込まれた内容を基本情報データベースに登録する工程と、前記書き込みページに書き込まれた内容を閲覧先の書き込みページと閲覧元の書き込みページに反映させる工程とを有するようにすることができる。
また、閲覧先の書き込みページに閲覧元のホームページのＵＲＬを残し、閲覧元の書き込みページに閲覧先のホームページのＵＲＬを残す工程を有しているようにすることができる。
また、会員に対して個人のホームページの作成サービスを行う工程を有しているようにすることができる。
本願発明のホームページ管理方法は、会員となったユーザの属性情報を基本情報データベースに登録する工程と、ユーザ端末からの閲覧要求に応じて、要求のあったホームページを提供する工程と、前記閲覧要求のあったユーザが会員であるか非会員であるかを監視する工程と、書き込みページに対する書き込み要求を受け付けて、前記書き込みページに書き込まれた書き込み情報を基本情報データベースに登録する工程と、前記書き込みページに書き込まれた内容を閲覧先の書き込みページと閲覧元の書き込みページに反映させる工程とを有することを特徴とする。
本発明に係るホームページ相互書き込みシステムでは、ネットワークを介してホームページ相互書き込み装置にユーザ端末が接続されるようにし、ユーザ端末を使用するユーザのホームページのコンテンツである書き込みページに書き込まれた内容が閲覧先の書き込みページと閲覧元の書き込みページに反映されるようにすることができる。
【発明の効果】
【００１２】
本発明のホームページ相互書き込みシステムは、ネットワークを介してホームページ相互書き込み装置にユーザ端末が接続されるようにし、ユーザ端末を使用するユーザのホームページのコンテンツである書き込みページに書き込まれた内容が閲覧先の書き込みページと閲覧元の書き込みページに反映されるようにしたので、ユーザにとっては自分のホームページに興味がもてるようになり、ホームページ作成サービス提供者にとっては会員増加を見込めるため、ビジネスチャンスの機会を得ることができる。
【発明を実施するための最良の形態】
【００１３】
本発明のホームページ相互書き込みシステムは、相手のホームページのコンテンツである掲示板等の書き込みページに書き込みした内容を自分の掲示板等の書き込みページにも反映されるようにした。
【００１４】
図１は、本発明のホームページ相互書き込みシステムの一実施の形態を示す図、図２は、図１のホームページ相互書き込み装置の詳細を示す図、図３は、図１のホームページ相互書き込みシステムによるホームページ相互書き込み方法を説明するためのフローチャートである。
【００１５】
図１に示すホームページ相互書き込みシステムは、ホームページ相互書き込み装置４００、ユーザＡ端末５０１、ユーザＢ端末５０２、ユーザＣ端末５０３、ユーザＤ端末５０４を備えている。ホームページ相互書き込み装置４００と、ユーザＡ端末５０１、ユーザＢ端末５０２、ユーザＣ端末５０３及びユーザＤ端末５０４とは、ネットワーク６００を介して相互に通信できるようになっている。ネットワーク６００としては、インターネット、専用回線、無線回線、ＬＡＮ等を用いることができる。
【００１６】
ホームページ相互書き込み装置４００は、ホームページ作成サービス提供者が保有するものであり、会員に対して個人のホームページの作成サービスを行う機能と、ホームページのコンテンツである掲示板等の書き込みページを管理する機能とを有しているものであって、基本情報データベース１００、ホームページ管理サーバ２００、ホームページ管理端末３００を備えている。
【００１７】
基本情報データベース１００には、図２に示すように、会員毎のホームページ１０１、会員属性情報１０２、書き込み情報１０３等の会員に関する基本情報が格納される。
【００１８】
会員毎のホームページ１０１は、ホームページ作成サービス提供者が提供するサービスの会員となった場合に、ユーザ毎に作成されたホームページである。また、ユーザ毎に作成されたホームページには、アドバンストHTMLエディタ（オンラインのHTMLエディタ）、ファイルマネージャ（オンラインでのファイル操作）、ページディレクトリ（テーマ別で登録できるカテゴリ）、日記ツール、掲示板ツール、素材集、カウンタ等の各種ツールを設けることができる。
【００１９】
会員属性情報１０２は、会員となったユーザのユーザＩＤ、パスワード、住所、氏名、年齢、性別、趣味等の情報である。書き込み情報１０３は、会員毎のホームページ１０１のコンテンツである掲示板等の書き込みページに書き込まれる文字やＵＲＬ等を含んでいる。
【００２０】
ホームページ管理サーバ２００は、ホームページを管理する機能を有しているものであり、図２に示すように、会員登録部２０１、ホームページ提供部２０２、ホームページ閲覧監視部２０３、書き込み受付部２０４、書き込み反映部２０５を備えている。
【００２１】
会員登録部２０１は、ホームページ作成サービス提供者が提供するサービスの会員となった場合に、会員となったユーザのユーザＩＤ、パスワード、住所、氏名、年齢、性別、趣味等の情報である上述した会員属性情報１０２を、基本情報データベース１００に登録する機能を有している。なお、会員属性情報１０２は、ホームページ作成サービス提供者が提供するホームページの会員登録ページより受け付けることができる。
【００２２】
ホームページ提供部２０２は、ユーザＡ端末５０１、ユーザＢ端末５０２、ユーザＣ端末５０３、ユーザＤ端末５０４のいずれかからの閲覧要求に応じて、要求のあったホームページを提供する機能を有している。
【００２３】
ホームページ閲覧監視部２０３は、ユーザＡ端末５０１、ユーザＢ端末５０２、ユーザＣ端末５０３、ユーザＤ端末５０４のいずれかからの閲覧要求のあったユーザが会員であるか非会員であるかを監視する機能を有している。ここで、ホームページ閲覧監視部２０３は、閲覧要求のあったユーザのユーザＡ端末５０１、ユーザＢ端末５０２、ユーザＣ端末５０３、ユーザＤ端末５０４のいずれかから得られる識別情報としてのクッキーを用いて、ユーザを識別することができる。この場合、会員か非会員であるかの識別が行われる。
【００２４】
書き込み受付部２０４は、掲示板等の書き込みページに対する書き込み要求を受け付け、その書き込まれた内容を書き込み情報１０３として基本情報データベース１００に登録する機能を有している。
【００２５】
書き込み反映部２０５は、会員であるたとえばユーザＡ（閲覧元）が同じく会員であるたとえばユーザＢ（閲覧先）の書き込みページに書き込みした内容を、ユーザＡの書き込みページに反映する機能を有している。この場合、ユーザＡの書き込みページに少なくともユーザＢのＵＲＬを残し、ユーザＢの書き込みページに少なくともユーザＡのＵＲＬを残すようにしてもよい。
【００２６】
これにより、ユーザＡがいずれのホームページの書き込みページにどのような内容を記載したかを容易に確認することができる。また、ユーザＢはユーザＡからの書き込みがあったことを容易に確認することができる。
【００２７】
ユーザＡ端末５０１、ユーザＢ端末５０２、ユーザＣ端末５０３、ユーザＤ端末５０４は、ネットワーク６００を介してホームページ管理サーバ２００に対し、会員登録、書き込み情報１０３の追加変更、ホームページの閲覧要求等を行う機能を有している。また、ユーザＡ端末５０１、ユーザＢ端末５０２、ユーザＣ端末５０３、ユーザＤ端末５０４としては、ディスクトップパソコン、ノートパソコン、ＰＤＡ、携帯電話等を用いることができる。
【００２８】
次に、このような構成のホームページ相互書き込みシステムによるホームページ書き込み方法について説明する。なお、以下の説明においては、基本情報データベース１００に、会員毎のホームページ１０１、会員属性情報１０２等が既に格納されているものとする。また、以下においては、ユーザＡ端末５０１及びユーザＢ端末５０２のユーザが会員で、ユーザＣ端末５０３及びユーザＤ端末５０４のユーザが非会員であるものとする。
【００２９】
まず、図３に示すように、ホームページ作成サービス提供者が提供するサービスの会員となる場合、ホームページ作成サービス提供者が提供するホームページの図示しない会員登録ページに、ユーザのユーザＩＤ、パスワード、住所、氏名、年齢、性別、趣味等の情報である上述した会員属性情報１０２を入力すると（ステップＳ１）、会員登録部２０１により、その会員属性情報１０２が基本情報データベース１００に登録される（ステップＳ２）。
【００３０】
これにより、会員となったユーザは、ホームページ作成サービス提供者が提供するホームページを個人のホームページとしてもつことができる（ステップＳ３）。ここで、個人のホームページにはコンテンツである掲示板等の書き込みページを示す項目が含まれている。
【００３１】
そして、ユーザＡ端末５０１、ユーザＢ端末５０２、ユーザＣ端末５０３、ユーザＤ端末５０４のいずれかからホームページの閲覧要求があると（ステップＳ４）、ホームページ提供部２０２により、要求のあったホームページが要求のあったユーザＡ端末５０１、ユーザＢ端末５０２、ユーザＣ端末５０３、ユーザＤ端末５０４のいずれかに提供される（ステップＳ５）。
【００３２】
ここで、ホームページ閲覧監視部２０３により、閲覧要求のあったユーザのユーザＡ端末５０１、ユーザＢ端末５０２、ユーザＣ端末５０３、ユーザＤ端末５０４のいずれかから得られる識別情報としてのクッキーを用いて、ユーザが識別される（ステップＳ６）。
【００３３】
ここで、閲覧要求のあったユーザが会員である場合（ステップＳ７）、そのユーザ個人のＵＲＬが識別される（ステップＳ８）。また、たとえば会員であるたとえばユーザＡが同じく会員であるたとえばユーザＢの掲示板等の書き込みページに対する書き込み要求があると（ステップＳ９）、書き込み受付部２０４によりその書き込み要求が受け付けられる。そして、ユーザＡによるユーザＢの掲示板等の書き込みページに対する書き込みが終了すると、その書き込まれた内容が書き込み情報１０３として基本情報データベース１００に登録される（ステップＳ１０）。なお、非会員からの書き込みがあった場合も同様に、その書き込み内容が基本情報データベース１００に登録される。
【００３４】
書き込み情報１０３が基本情報データベース１００に登録されると、書き込み反映部２０５により、ユーザＡによりユーザＢの掲示板等の書き込みページに書き込まれた内容がユーザＡの掲示板等の書き込みページに反映される（ステップＳ１１）。このとき、ユーザＡの書き込みページにユーザＢのＵＲＬが残され、ユーザＢの書き込みページにユーザＡのＵＲＬが残される。
【００３５】
これにより、ユーザＡは、時間が経過しても、自分の書き込みページに残された相手のＵＲＬから相手の書き込みページにアクセスすることができ、相手の書き込みページにどのような内容を記載したかを容易に確認することができる。また、ユーザＢはユーザＡからの書き込みがあったことを容易に確認することができる。
【００３６】
このように、会員のホームページのコンテンツである掲示板等の書き込みページに書き込まれた内容が互いの書き込みページに反映されるようにすることで、どのような内容を書き込んだかの確認を容易に行え、さらに相互のＵＲＬが互いの書き込みページに反映されることで、書き込みページへの書き込みの楽しさ等が増大し、自分のホームページがより多くの人に閲覧してもらう機会が増えていくようになり、会員同士の輪が広がっていく。
【００３７】
なお、会員であるユーザが非会員のホームページの掲示板等の書き込みページに書き込みを行った場合も同様に、書き込まれた内容が互いの書き込みページに反映されるようにし、併せて会員及び非会員のホームページのＵＲＬが互いの書き込みページに反映されるようにしてもよい。これにより、非会員のユーザから会員のホームページへのアクセスが容易となる。
【００３８】
以上のように、掲示板等の書き込みページに書き込まれた内容が互いの書き込みページに反映されると、どのような内容を書き込んだかの確認を容易に行え、さらに相互のＵＲＬが互いの書き込みページに反映されることで、相手の掲示板等の書き込みページへのアクセスが容易となり、書き込みページへの書き込みの楽しさ等が増大する。また、書き込みページへの書き込みの楽しさ等が増大することで、会員同士や会員と非会員同士の輪が広がる。
【００３９】
このように、本実施形態では、ネットワーク６００を介してホームページ相互書き込み装置４００にユーザＡ端末５０１、ユーザＢ端末５０２、ユーザＣ端末５０３、ユーザＤ端末５０４が接続されるようにし、ユーザＡ端末５０１、ユーザＢ端末５０２、ユーザＣ端末５０３、ユーザＤ端末５０４を使用するユーザのホームページのコンテンツである書き込みページに書き込まれた内容が閲覧先の書き込みページと閲覧元の書き込みページに反映されるようにしたので、ユーザにとっては自分のホームページに興味がもてるようになり、ホームページ作成サービス提供者にとっては会員増加を見込めるため、ビジネスチャンスの機会を得ることができる。
【００４０】
具体的には、会員のホームページのコンテンツである掲示板等の書き込みページに書き込まれた内容が互いの書き込みページに反映されるようにすることで、どのような内容を書き込んだかの確認を容易に行え、さらに相互のＵＲＬが互いの書き込みページに反映されることで、書き込みページへの書き込みの楽しさ等が増大し、自分のホームページがより多くの人に閲覧してもらう機会が増えていくようになる。また、自分のホームページがより多くの人に閲覧してもらう機会が増えていくようになることで、自分のホームページに対する興味が増えることになる。
【００４１】
一方、ホームページ作成サービス提供者にとっては、ユーザにとって興味をもってもらえるホームページを提供し続けることができ、さらにネット上に大量に存在するホームページをユーザに知らしめてユーザ同士が互いのホームページを閲覧しあう機会を与えることで、会員増加を見込めるため、広告収入等を目的としたビジネスチャンスの機会が得られることになる。
【００４２】
なお、上述した書き込み反映部２０５にあっては、たとえばユーザＢによって書き込みされたユーザＡの書き込みページにおいて、ユーザＡが書き込みした内容をユーザＢの書き込みページに反映させることも可能である。
【００４３】
このように、たとえばユーザＢによって書き込みされたユーザＡの書き込みページにおいて、ユーザＡが書き込みした内容がユーザＢの書き込みページに反映されることにより、ユーザＡがユーザＢの書き込みページにアクセスすることが省略されるため、書き込みページの利用がさらに容易となる。
【００４４】
また、会員であるユーザが非会員のホームページの掲示板等の書き込みページに書き込みを行った場合も同様に、書き込まれた内容が互いの書き込みページに反映されるようにし、併せて会員及び非会員のホームページの少なくともＵＲＬが互いの書き込みページに反映させるようにすることで、さらなる会員の増加を見込むことができる。この場合、たとえば会員によって書き込みされた非会員の書き込みページにおいて、非会員が書き込みした内容が会員の書き込みページに反映されることにより、非会員が会員の書き込みページにアクセスすることが省略されるため、上記同様に、書き込みページの利用がさらに容易となる。
【産業上の利用可能性】
【００４５】
企業が自社の製品をホームページを用いてアピールする場合等においても適用できる。
【図面の簡単な説明】
【００４６】
【図１】本発明のホームページ相互書き込みシステムの一実施の形態を示す図である。
【図２】図１のホームページ相互書き込み装置の詳細を示す図である。
【図３】図１のホームページ相互書き込みシステムによるホームページ相互書き込み方法を説明するためのフローチャートである。
【符号の説明】
【００４７】
１００  基本情報データベース
１０１  会員毎のホームページ
１０２  会員属性情報
１０３  書き込み情報
２００  ホームページ管理サーバ
２０１  会員登録部
２０２  ホームページ提供部
２０３  ホームページ閲覧監視部
２０４  書き込み受付部
２０５  書き込み反映部
３００  ホームページ管理端末
４００  ホームページ相互書き込み装置
５０１  ユーザＡ端末
５０２  ユーザＢ端末
５０３  ユーザＣ端末
５０４  ユーザＤ端末
６００  ネットワーク
【図１】
2005228275.tif 000003
【図２】
2005228275.tif 000004
【図３】
2005228275.tif 000005